(57)【要約】      （修正有）【課題】大幅な改造を行うことなく、利用者が希望する商品とは異なる商品を選択することを抑制することが可能な自動販売機を提供することにある。【解決手段】本体キャビネット１の前面を開閉する片開き式の外扉２に画成された商品展示室３の任意の位置に複数の商品見本８を配列し、前記外扉２の商品展示室３の領域外に商品選択ボタン５ａ備えた自動販売機であって、前記商品展示室３の任意に位置にレイアウトされた商品見本８毎に設けられ、前記商品選択ボタン５ａの操作により作動して当該商品見本８が選択されたことを表示する発光ダイオードランプＬＭＰ（選択商品表示手段）を設け、利用者が商品選択ボタン５ａを操作した際、当該商品選択ボタン５ａに対応する商品見本８の発光ダイオードランプＬＭＰを点滅させて誤選択（押し間違い）を抑制する。【選択図】図１
2011170586.tif 000002
【特許請求の範囲】
【請求項１】
前面が開口した断熱筐体としてなる本体キャビネットと、この本体キャビネットの前面を開閉する片開き式の外扉を備え、前記外扉に画成された商品展示室の任意の位置に複数の商品見本を配列し、前記外扉の商品展示室の領域外に商品選択ボタン部を備えた自動販売機において、前記商品展示室の任意の位置にレイアウトされた商品見本毎に設けられ、前記商品選択ボタンの操作により作動して当該商品見本が選択されたことを表示する選択商品表示手段を設けたことを特徴とする自動販売機。
【請求項２】
請求項１に記載の自動販売機において、選択商品表示手段は発光ダイオードであり、商品選択ボタンが操作されることにより点灯または点滅することを特徴とする自動販売機。
【請求項３】
前面が開口した断熱筐体としてなる本体キャビネットと、この本体キャビネットの前面を開閉する片開き式の外扉を備え、前記外扉に画成された商品展示室の任意の位置に複数の商品見本を配列し、前記外扉の商品展示室の領域外に商品選択ボタン部を備えた自動販売機において、商品選択ボタン部は複数の商品見本に対応した個別の商品選択ボタンを並設してなり、当該個別の商品選択ボタンの近傍に該当する商品見本を示す表示が施された表示媒体を設けてなることを特徴とする自動販売機。
【請求項４】
請求項３に記載の自動販売機において、表示媒体は表示見本を印刷したパネルであることを特徴とする自動販売機。
【発明の詳細な説明】
【技術分野】
【０００１】
本発明は、自動販売機の外扉前面に画成された商品展示室に商品見本を展示する自動販売機に係り、特に商品見本を商品展示室内の任意の位置にレイアウトすることができるようにした自動販売機に関する。
【背景技術】
【０００２】
この種の自動販売機として缶入り飲料，ペットボトル入り飲料等の商品を販売する一般的な自動販売機は断熱筐体としてなる本体ケースの前面に片開き式の外扉が設けられ、当該外扉には複数の商品見本を展示する商品展示室が形成されている。この商品展示室の前面は商品見本を外部から視認できるように透明パネルで覆われ、前記展示室内には当該商品展示室の左右方向に延在する横長の商品展示台が上下方向に複数段配設され、これらの商品展示台に商品見本が載置されている。前記商品見本は缶入り飲料，ペットボトル入り飲料等の意匠を施した本体部の底部に嵌合部が形成されている一方、横長の商品展示台の載置面には円形の開口部が複数穿孔されている。そして、前記商品見本の嵌合部を商品展示台の開口部に嵌合させることにより商品展示室に商品見本を横一列に並べて展示するように構成されている。そして、商品展示室の前面を構成する透明パネルの表面側に、前記商品展示台に載置した商品見本に対応してそれぞれ商品選択ボタンが配設されている（例えば、特許文献１）。
【０００３】
このように商品展示室の左右方向に延在し上下方向に複数配設した商品展示台に商品見本を横一列に並べて展示する自動販売機の商品見本展示装置にあっては商品見本のレイアウトが画一的であるので差別化できない。このため、商品展示室内の任意の位置に商品見本をレイアウトすることにより差別化して衆目を集めるようにした自動販売機の商品見本展示装置として次記のものが知られている。その一つは、商品展示室の後面を画成する展示パネルに多数の係合穴（パンチング穴）を形成する一方、商品見本を個別に載置するホルダーに前記係合穴に着脱自在な一対のボスを設け、前記ホルダーのボスを係合穴に差し込んで商品見本を商品展示室の任意位置に展示するものである（例えば、特許文献２）。また、他の一つは、商品展示室の形状に一致させた額縁状の陳列フレームに左右方向に横架されるバーを上下方向多段に配設する一方、商品見本を個別に載置する商品見本陳列台に前記バーに係止するフックを設け、前記商品見本陳列台のフックをバーに係止させて商品見本を商品展示室の任意の位置に展示するものである（例えば、特許文献３）。上記特許文献２および特許文献３に開示された自動販売機においては商品展示室内の任意の位置に商品見本をレイアウトすることができる点で優れている。なお、これらの特許文献２および特許文献３に開示された自動販売機においては商品展示室の領域外に商品を選択する商品選択ボタンが集約して配設されている。
【先行技術文献】
【特許文献】
【０００４】
【特許文献１】特開平１０−７９０７９号公報
【特許文献２】特開２０００−１１２４４号公報
【特許文献３】特開２００１−３３１８６０号公報
【発明の概要】
【発明が解決しようとする課題】
【０００５】
ところで、この種の自動販売機は利用者が貨幣の投入、若しくは電子マネーカードをアンテナ部に翳したうえで商品選択ボタンが操作されることにより操作された商品選択ボタンに対応する商品を庫内から搬出して販売するように構成されている。このため、利用者が間違えて希望する商品とは異なる商品選択ボタンを操作した場合にも希望する商品とは異なる商品を販売することとなる。この場合、上記特許文献１に開示された自動販売機においては商品展示室の前面を構成する透明パネルに商品展示室内の商品展示台に載置された商品見本に一対一に対応して商品選択ボタンが配設され、かつ、隣接する商品選択ボタンの間の間隔は比較的広いので、利用者が間違って希望する商品とは異なる商品選択ボタンを操作する可能性は少ない。
【０００６】
ところが、上記特許文献２および特許文献３に開示された自動販売機においては商品展示室の領域外に商品選択ボタンが集約して配設されていることから次記のような不具合がある。すなわち、特許文献２および特許文献３に開示された自動販売機においては商品展示室の任意の位置にレイアウトされた複数の商品見本にアドレス、例えば、商品見本を保持するホルダーに商品指定番号（例えば、１〜Ｎ）等を表示した商品情報表示体を掲示する一方、商品展示室の領域外に集約して配設された商品選択ボタンとしてテンキー方式を採用している。このため、利用者が商品を購入する際には商品展示室の任意の位置にレイアウトされた複数の商品見本の中から希望する商品を見つけて当該商品見本のアドレスを記憶したうえで、特許文献２においてはテンキーを操作してアドレスを入力するように構成されているが、テンキー入力する際に誤入力（アドレスの記憶違いやキーの押し間違い）のおそれがあり、この場合には利用者が希望する商品とは異なる商品が販売されてしまう。また、前記テンキー方式に代えて複数の商品見本に対応する個別の商品選択ボタンを上下左右に並べて配設し、当該商品選択ボタンに商品見本のアドレス（例えば、１〜Ｎ）に対応する商品指定番号（例えば、１〜Ｎ）を付すものが考えられる。しかしながら、この場合にも隣接する商品選択ボタンの間の間隔が比較的狭いので、希望する商品のアドレスとは異なるアドレスの商品選択ボタンを誤操作してしまうおそれがある。
【０００７】
なお、商品展示室内の任意に位置に商品見本をレイアウトした場合にも特許文献１に記載された自動販売機のように商品展示室の領域に商品選択ボタンを設けることにより商品選択ボタンの誤操作を防止することができる。この場合、特許文献１に記載された自動販売機のように商品展示室の前面を構成する透明パネルに商品選択ボタンの取付穴を穿孔して商品選択ボタンを取付けることは極めて困難であることから、商品見本を保持するホルダーに非接触のセンサを配設することが考えられる。しかしながら、このように構成すると自動販売機の利用者が商品の選択に戸惑うとともに非接触センサの信頼性の確保、つまり、非接触センサの感度が最適でない場合には利用者が（例えば、音声ガイド等に基づいて）正規の操作を行ったにもかかわらず非接触センサが作動しない不具合が生じることから非接触センサの信頼性を確保することが困難であるので、これを採用することは困難である。
【０００８】
そこで、本発明は上記の点に鑑みなされたものであり、その目的は前記課題を解決し、大幅な改造を行うことなく、利用者が希望する商品とは異なる商品を選択することを抑制することが可能な自動販売機を提供することにある。
【課題を解決するための手段】
【０００９】
上記目的を達成するために請求項１に係る発明は、前面が開口した断熱筐体としてなる本体キャビネットと、この本体キャビネットの前面を開閉する片開き式の外扉を備え、前記外扉に画成された商品展示室の任意の位置に複数の商品見本を配列し、前記外扉の商品展示室の領域外に商品選択ボタン部を備えた自動販売機において、前記商品展示室の任意の位置にレイアウトされた商品見本毎に設けられ、前記商品選択ボタンの操作により作動して当該商品見本が選択されたことを表示する選択商品表示手段を設けたことを特徴とする。
【００１０】
また、請求項２に係る発明は、請求項１に記載の自動販売機において、選択商品表示手段は発光ダイオードであり、商品選択ボタンが操作されることにより点灯または点滅することを特徴とする。
また、請求項３に係る発明は、前面が開口した断熱筐体としてなる本体キャビネットと、この本体キャビネットの前面を開閉する片開き式の外扉を備え、前記外扉に画成された商品展示室の任意の位置に複数の商品見本を配列し、前記外扉の商品展示室の領域外に商品選択ボタン部を備えた自動販売機において、商品選択ボタン部は複数の商品見本に対応した個別の商品選択ボタンを並設してなり、当該個別の商品選択ボタンの近傍に該当する商品見本を示す表示が施された表示媒体を設けてなることを特徴とする。
【００１１】
また、請求項４に係る発明は、請求項３に記載の自動販売機において、表示媒体は表示見本を印刷したパネルであることを特徴とする。
【発明の効果】
【００１２】
前述した請求項１に係る発明は、前面開口がした断熱筐体としてなる本体キャビネットと、この本体キャビネットの前面を開閉する片開き式の外扉を備え、前記外扉に画成された商品展示室の任意の位置に複数の商品見本を配列し、前記外扉の商品展示室の領域外に商品選択ボタン部を備えた自動販売機において、前記商品展示室の任意に位置にレイアウトされた商品見本毎に設けられ、前記商品選択ボタンの操作により作動して当該商品見本が選択されたことを表示する選択商品表示手段を設けたことにより、利用者が商品選択ボタンを操作した際、当該商品選択ボタンに対応する商品見本を商品選択表示手段により表示するので、利用者は商品選択表示手段により希望する商品を選択したことを確認することが可能となり、商品展示室の任意の位置にレイアウトされた商品見本と商品選択ボタンとがそれぞれ離隔した位置に配置されている場合にも商品選択ボタンの誤選択（押し間違い）を抑制することができるという効果を有する。
【００１３】
また、請求項２に係る発明は、請求項１に記載の自動販売機の商品見本展示装置において、選択商品表示手段は発光ダイオードであり、商品選択ボタンが操作されることにより点灯または点滅することにより、利用者が外部から容易に視認することができるという効果を有する。
【００１４】
また、請求項３に係る発明は、前面が開口した断熱筐体としてなる本体キャビネットと、この本体キャビネットの前面を開閉する片開き式の外扉を備え、前記外扉に画成された商品展示室の任意の位置に複数の商品見本を配列し、前記外扉の商品展示室の領域外に商品選択ボタン部を備えた自動販売機において、商品選択ボタン部は複数の商品見本に対応した個別の商品選択ボタンを並設してなり、当該個別の商品選択ボタンの近傍に該当する商品見本を示す表示が施された表示媒体を設けてなることにより、利用者が商品選択ボタンを操作する際、当該商品選択ボタンの近傍に設けられたところの商品見本を示す表示の施された表示媒体が目に触れるので、希望する商品を選択しようとしているかを視認することが可能となり、商品選択ボタンの誤操作を抑制することができるという効果を有する。
【００１５】
さらに、請求項４に係る発明は、請求項３に記載の自動販売機の商品見本展示装置において、表示媒体を、表示見本を印刷したパネルとすることにより、商品展示室の任意の位置にレイアウトされた商品見本のミニチュアが商品選択ボタンの近傍に位置するので、複数の商品見本に対応して一対一で商品選択ボタンが設けられている態様となるので、より一層商品選択ボタンの誤操作を抑制することができるという効果を有する。
【図面の簡単な説明】
【００１６】
【図１】本発明の実施の形態１である自動販売機を示し、（ａ）はその全体構成を示す正面図、（ｂ）は（ａ）の自動販売機の外扉、および中扉を開放した状態を示す斜視図である。
【図２】図１の中扉を示す斜視図である。
【図３】図１のレイアウト部材を示す斜視図である。
【図４】図３のレイアウト部材を中扉への組付けを説明するための斜視図である。
【図５】図１のホルダーを示す分解斜視図である。
【図６】図５のホルダーをレイアウト部材に装着した状態を示す斜視図である。
【図７】図１のポスター部材を示し、（ａ）はその分解斜視図、（ｂ）はその組立を示す斜視図である。
【図８】図１の照明光源として発光ダイオードモジュールを示す斜視図である。
【図９】発光ダイオードモジュールのパネル押え金具への組付け状態を示す斜視図である。
【図１０】レイアウト部材に装着される照明光源として発光ダイオードモジュールユニットを示し、（ａ）はその分解斜視図、（ｂ）はその組立図である。
【図１１】図１の自動販売機の全体構成を示すブロック図である。
【図１２】本発明の実施の形態２である自動販売機を示し、（ａ）はその全体構成を示す正面図、（ｂ）は（ａ）の自動販売機の外扉、および中扉を開放した状態を示す斜視図である。
【図１３】図１２の自動販売機の全体構成を示すブロック図である。
【図１４】本発明の実施の形態３の自動販売機を示し、（ａ）はその全体構成を示す正面図、（ｂ）は（ａ）の自動販売機の外扉、および中扉を開放した状態を示す斜視図である。
【発明を実施するための形態】
【００１７】
以下、本発明における実施の形態である自動販売機を図面に基づいて説明する。
（実施の形態１）
図１は本発明の実施の形態１である自動販売機の全体構成を示す。図において、１は前面が開放した断熱筐体として形成された本体キャビネットである。この本体キャビネット１の庫内は断熱仕切壁により左右方向に複数の商品収納室に区分され、各商品収納室には缶入り飲料，ペットボトル飲料等の商品を収容するとともにその下端に後述する商品選択ボタンの操作により商品を搬出する商品払出機構を有する商品収納ラックが収設されている。また、各商品収納室の下部には当該各商品収納室を冷却もしくは加熱して商品収納ラックに収容した商品を冷却・加熱する冷却／加熱ユニットが配設されている。
【００１８】
前記本体キャビネット１の前面には不図示のヒンジ機構により開閉自在な片開き式の外扉２が設けられ、この外扉２の前面の上部域には商品展示室３が設けられている。この商品展示室３はその前面側が透明パネル４で覆われ、背面側が中扉２１により覆われている。前記透明パネル４の上下左右の周縁はその裏面側に配設された上下左右のパネル押え金具４１〜４４（図１の（ｂ）参照）により保持され、これらのパネル押え金具４１〜４４が商品展示室３の周囲の側壁を形成している。詳細については後述するが、前記上下左右のパネル押え金具４１〜４４のうち、下側のパネル押え金具４２を除く上側のパネル押え金具４１と左右のパネル押え金具４３，４４には照明光源ＬＥＤ１（後述する発光ダイオードモジュールからなる）が配設されている。
【００１９】
前記商品展示室３の背面壁を形成する中扉２１は左端側をヒンジ２１ａ（図１の（ｂ）参照）により外扉２に開閉自在に取付けられている。この中扉２１には左右方向に延在するレイアウト部材１０が上下方向に複数段配設され、このレイアウト部材１０の任意位置に商品見本８、ポスター部材９および照明光源ＬＥＤ２がレイアウトされるように構成されている。ここで、前記商品見本８は後述するホルダー１２を介してレイアウト部材１０に展示されるように構成されている。前記外扉２における商品展示室３の下方左側領域には商品選択ボタン部５が設けられている。この商品選択ボタン部５には商品展示室３に展示された複数の商品見本８を選択する個別の商品選択ボタン５ａが集中して配置され、縦横に並置された商品選択ボタン５ａに加えて取消しボタン５ｂが設けられている。この取消しボタン５ｂの機能については後述する。
【００２０】
前記外扉２における商品展示室３の下方右側領域には接客部６が設けられ、この接客部６には硬貨投入口６１、紙幣挿入口６２、返却レバー６３、投入金額，庫内温度，販売中，準備中等の各種情報をディスプレイに表示する販売情報表示部６４が組付けられている。また、外扉２における高さ方向略中央であって右端側（反ヒンジ機構側）にはシリンダー錠付きの主ロック装置７が設けられている。そして、前記外扉２における下部領域には硬貨返却口２ａ、商品販売口２ｂが設けられている。
【００２１】
前記中扉２１は、図２に示すように、矩形形状の周囲を補強のために折り曲げられた薄板板金からなり、その表面には白色塗装が施されている。前記中扉２１の板面には左右の端部側に矩形の係止穴２１１ａが設けられ、この係止穴２１１ａ，２１１ａの間に鉤形の係合穴２１１ｂと配線用開口２１１ｃが設けられている。この実施の形態では中央位置に穿孔された配線用開口２１１ｃを中心として左右対称に２個の係止穴２１１ａと４個の係合穴２１１ｂがマトリックス状に設けられている。なお、配線用開口２１１ｃの下方にはナイロンリベットの挿通孔２１１ｄが穿孔されている。前記マトリックス状の行である左右方向に並ぶそれぞれの係止穴２１１ａ，２１１ｂ，２１１ｃ，２１１ｄが一つの段２１１を形成し、この段２１１が上下方向に均等ピッチで複数段２１１〜２ｎｎ形成されている。
【００２２】
前記中扉２１に固着されるレイアウト部材１０は、図３に示すように、左右方向に細長い板金を縦断面鳥打帽状に折り曲げて形成されてなり、中扉２１と同様に白色塗装が施されている。商品見本展示用ステージとなる天板１０ａには左右方向に複数の凸状係合穴１１が均等ピッチで穿孔されている。また、天板１０ａの端縁には下方に折り曲げられた複数の固定片１０ｃが設けられ、この実施の形態では中扉２１の係合穴２１１ｂに対応して左右対称に４個の固定片１０ｃが設けられている。また、レイアウト部材１０の縦断面鳥打帽状の庇に対応する鍔部１０ｂには中扉２１の係止穴２１１ａに対応して左右対称に２個の切起し片１０ｄが形成され、それぞれの切起し片１０ｄ，１０ｄはそれぞれ同一の方向（図では右方向）を向くように切起されている。前記鍔部１０ｂの左右方向の中央位置にはナイロンリベットの挿通孔１０ｅが穿孔されている。
【００２３】
前記レイアウト部材１０の中扉２１への取付けを図４に示している。図に示すようにレイアウト部材１０の４つの固定片１０ｃと２つの切起し片１０ｄを、中扉２１の前方側から所定の段、例えば、段２１１の４つの係合穴２１１ｂと２つの係止穴２１１ａに対峙させる。この場合、中扉２１の４つの係合穴２１１ｂは上下方向に広幅の穴に細幅の穴を連通してなる鉤形に形成され、広幅の穴が固定片１０ｃの上下方向の長さより大きく、細幅の穴が固定片１０ｃの板厚よりも僅かに大きく形成され、また、中扉２１の２つの係止穴２１１ａが切起し片１０ｄよりも大きく形成されている。したがって、レイアウト部材１０のそれぞれの固定片１０ｃを中扉２１の係合穴２１１ｂの広幅の穴に対峙させ、また、切起し片１０ｄを係止穴２１１ａに対峙させた上でレイアウト部材１０を後方に向けて押し込むとレイアウト部材１０の固定片１０ｃと切起し片１０ｄが中扉２１を貫通して背面側に突出する。この状態でレイアウト部材１０をスライド、図４では右方向にスライドさせて固定片１０ｃを係合穴２１１ｂの細幅の穴に嵌合させると、固定片１０ｃおよび切起し片１０ｄの先端が係合穴２１１ｂ，２１１ａの縁を跨いで中扉２１の背面側に移動してレイアウト部材１０の前方への移動を阻止するストッパとなる。そして、レイアウト部材１０の鍔１０ｂに形成したナイロンリベット挿通孔１０ｅを介してナイロンリベット（不図示）を挿通させるとレイアウト部材１０が中扉２１に固着される。このようにして中扉２１の各段２１１〜２ｎｎに沿ってレイアウト部材１０を固着することによってレイアウト部材１０が上下方向に等間隔で複数段配設されることとなる。
【００２４】
前記レイアウト部材１０に着脱自在に装着されるホルダー１２は、図５に示すように、短冊状の板金を断面Ｚ字形に折り曲げて形成されてなり、その表面には白色塗装が施されている。ホルダー１２の水平面をなす商品見本載置部１２１には商品見本８の嵌合穴１２１ａが形成されている。ホルダー１２の商品見本載置部１２１の後端から鉛直に立ち上がる固定部１２２の自由端側は後方に向けて直角に折り曲げるとともに再び鉛直方向に延在するように折り曲げられ、当該固定部１２２には切り起こしにより係止片１２２ａが形成されている。前記係止片１２２ａの自由端側は撞木鮫の頭部形状（或いはきのこ形状）のように左右方向に延在するストッパ１２２ｂ，１２２ｂが形成されている。前記係止片１２２ａの幅は図３に示したレイアウト部材１０の天板１０ａに穿孔された凸状係合穴１１における突部（細幅の穴）の幅よりも小さく形成されている一方、左右のストッパ１２２ｂ，１２２ｂの両端の間の寸法は凸状係合穴１１における突部（細幅の穴）の幅よりも大きく、かつ、凸状係合穴１１における底部（広幅の穴）の幅よりも小さく定められている。
【００２５】
前記ホルダー１２の商品見本載置部１２１の前端から鉛直に垂下する掲示部１２３の自由端（下端）は前方に折り返して保持溝１２３ａが形成されている。前記掲示部１２３の左端寄りの上下方向略中間位置には発光ダイオードランプＬＭＰ（選択商品表示手段）の貫通穴１２３ｂが形成され、この貫通穴１２３ｂを貫通するように発光ダイオードランプＬＭＰが掲示部１２３の背面に取付けられている。前記発光ダイオードランプＬＭＰの機能については後述することとし、ここではホルダー１２について詳述する。前記掲示部１２３の左右の上部領域には商品見本載置部１２１の左右端部から前方に延在して内方に折り曲げられた保持爪１２１ｂ，１２１ｂが配設されている。前記保持爪１２１ｂ，１２１ｂと掲示部１２３の表面との間には次に示す商品情報表示体１３の厚さよりも僅かに大きい隙間が形成されている。前記商品情報表示体１３はホルダー１２の掲示部１２３（の表面）と略同一の大きさに形成された合成樹脂製になり、その表面には商品見本８の商品情報としての商品指定番号（例えば、１〜Ｎ），商品価格（例えば、\１２０），冷温状態（例えば、寒色の背景色に白抜きの「ＣＯＬＤ」、若しくは暖色の背景色に白抜きの「ＨＯＴ」）が表示され、また、商品情報表示体１３には前記発光ダイオードランプＬＭＰの挿通穴１３ａが形成されている。この商品情報表示体１３はホルダー１２の掲示部１２３に上方から差し込んだ上で左右を摘んで前方に凸となるように撓ませることにより発光ダイオードランプＬＭＰを乗り越えさせながら挿通穴１３ａが発光ダイオードランプＬＭＰに対峙する位置まで下方へスライドさせると発光ダイオードランプＬＭＰが挿通穴１３ａに嵌り込む。これにより商品情報表示体１３は元の平らな状態に復元して前記保持溝１２３ａと保持爪１２１ｂ，１２１ｂとにより保持された状態で掲示部１２３に掲示される。
【００２６】
前記ホルダー１２をレイアウト部材１０に装着した状態を図６に示している。図に示すようにホルダー１２の係止片１２２ａをレイアウト部材１０の天板１０ａに形成した凸状係合穴１１に挿入する。この場合、係止片１２２ａの自由端側の左右方向に延在するストッパ１２２ｂ，１２２ｂを凸状係合穴１１の広幅の穴から挿入する。このように、ホルダー１２の係止片１２２ａをレイアウト部材１０の凸状係合穴１１に挿入した上で、ホルダー１２を手前にスライドさせるとホルダー１２の係止片１２２ａがレイアウト部材１０の凸状係合穴１１における細幅の穴に移動し、係止片１２２ａの自由端側の左右方向に延在するストッパ１２２ｂ，１２２ｂがレイアウト部材１０における天板１０ａの背面に係合する。このようにしてホルダー１２の係止片１２２ａをレイアウト部材１０の凸状係合穴１１に係合させると、ホルダー１０がストッパ１２２ｂ，１２２ｂを中心に反時計方向に重力によって回動し、その固定部１２２がホルダー１０に当接して静止する。なお、ホルダー１０の掲示部１２３に取付けられた発光ダイオードランプＬＭＰの配線はレイアウト部材１０の断面コ字形の空間を介して中扉２１に穿孔された配線用開口２１１ｃを通して引き回される。前述したように、レイアウト部材１０に装着されたホルダー１２における商品見本載置部１２１の嵌合穴１２１ａに商品見本８（図１参照）が取付けられる。前記商品見本８はこの実施の形態１においてペットボトル入り飲料の意匠を施した円筒状で薄肉の合成樹脂成形品としてなり、商品見本８の下縁を前記嵌合穴１２１ａに嵌合させて取付けられるが、この取付け方法については周知であるのでここでは詳細な説明は省略する。
【００２７】
前記レイアウト部材１０に着脱自在に装着されるポスター部材９は、図７に示すように、板金製の基台９１と、この基台９１の前面を覆う硬質で透明のシート９２からなる。前記基台９１は用紙サイズが「Ａ３」のポスター（不図示）よりも僅かに大きい矩形形状に形成され、その表面には白色塗装が施され、その上縁には左右２個の係止爪（係止部）９１ａ，９１ａが背面側に向けて形成されている。前記係止爪９１ａ，９１ａの形状は図５に示したホルダー１２の係止片１２２ａの形状と同一であり、基台９１の上縁から背面側に向けて直角に折り曲げられ、その自由端側が下方に垂下するとともに撞木鮫の頭部形状（或いはきのこ形状）のように左右方向に延在するストッパ（不図示）を備えている。ここで、左右２個の係止爪９１ａ，９１ａの間隔はレイアウト部材１０の天板１０ａに形成された凸状係合穴１１の間のピッチに整数倍となるように定められている。また、前記基台９１の下部側には基台９１を切起して形成された左右２個の係止爪９１ｂ，９１ｂが設けられ、この係止爪９１ｂ，９１ｂの形状および間隔は前述した係止爪９１ａ，９１ａの形状および間隔と同一である。そして、前記基台９１の下縁には前方に折り返して保持溝９１ｃが形成されている。一方、シート９２はナイロンリベットにより上端側を前記基台９１に固着して取付けられ、下端側が基台９１の保持溝９１ｃに位置している。
【００２８】
前述したように構成されたポスター部材９には次のようにしてポスターが装填される。すなわち、その上端側が基台９１に固着されたシート９２の下端側を前方側に引くとシート９２が湾曲して基台９１との間に隙間が生じるので、ポスター部材９の底面側から前記隙間にポスターを挿入する。ポスターを所定位置まで挿入した上でシート９２から手を離すとシート９２が復元してポスターの前面を覆う。なお、ポスターは基台９１の保持溝９１ｃにより脱落しないように保持されている。このポスター部材９のレイアウト部材１０への装着方法は前述したホルダー１２の装着方法に対して、上下の係止爪９１ａ，９１ａ、係止爪９１ｂ，９１ｂをレイアウト部材１０の対応する凸状係合穴１１に同時に挿入する点を除けば同一である。つまり、上下の係止爪９１ａ，９１ａ、係止爪９１ｂ，９１ｂをレイアウト部材１０の対応する凸状係合穴１１に同時に挿入した上で前方にスライドさせると上下の係止爪９１ａ，９１ａ、係止爪９１ｂ，９１ｂがレイアウト部材１０に係止することによってポスター部材９はレイアウト部材１０に装着される。
【００２９】
前記商品展示室３の周壁に配設される照明光源ＬＥＤ１はこの実施の形態では発光ダイオードモジュール７０として形成され、この発光ダイオードモジュール７０は、図８に示すように、遮光材からなる短冊状の台座７１と拡散用レンズ７２と取付金具７３からなる。前記台座７１には複数の発光ダイオード素子（不図示）を実装した回路基板が配設されており、当該回路基板に接続された配線接続用コネクタ７４は拡散用レンズ７３を貫通して引き出されている。前記発光ダイオードモジュール７０の取付金具７３の左右両端部はねじ固定部として形成されており、その一方の端部のねじ固定部には寸法誤差を吸収するために図示したように開放したねじ挿通穴として形成されている。
【００３０】
前述した発光ダイオードモジュール７０は図１に示した商品展示室３の周囲の側壁を形成するパネル押え金具に取付けられ、パネル押え金具への組付けを図９に示す。前述した図１において説明したように透明パネル４の上下左右の周縁はその裏面側に配設された上下左右のパネル押え金具４１〜４４によって保持されており、図９において、４１で上側のパネル押え金具、４３，４４で左右のパネル押え金具を示し、４５，４６はそれぞれ発光ダイオードモジュール７０の取付金具を示し、４７，４８はそれぞれ採光板を示している。なお、上下左右のパネル押え金具４１〜４４はその表面に白色塗装が施され、それぞれの前縁（図９では上側のパネル押え金具４１と左右のパネル押え金具４３，４４の前縁４１ａ，４３ａ，４４ａが示されている）が透明パネル４の背面に当接し、その後縁４１ｂ，４３ｂ，４４ｂが外扉２の扉枠に固定して取付けられている。
【００３１】
前記上側のパネル押え金具４１の板面（表面）には前記発光ダイオードモジュール７０が直接固着されるように構成されている。すなわち、上側のパネル押え金具４１には発光ダイオードモジュール７０がその取付金具７３（図８参照）の左右両端部のねじ固定部を介してねじにより固着されており、発光ダイオードモジュール７０が商品展示室３に露出するように組付けられている。この実施の形態では上側のパネル押え金具４１に３個の発光ダイオードモジュール７０が取付けられており、それぞれの発光ダイオードモジュール７０は配線接続用コネクタ７４（図８参照）を介して直列接続されている。
【００３２】
一方、商品展示室３の左右側壁側に配設される発光ダイオードモジュール７０は左右のパネル押え金具４３，４４の背面側に配設されている。すなわち、左右のパネル押え金具４３，４４には商品展示室３の周壁となる板面にそれぞれ２個の開口４３ｃ，４３ｃ、４４ｃ，４４ｃが設けられ、その開口４３ｃ，４３ｃ、４４ｃ，４４ｃの大きさは前記発光ダイオードモジュール７０の拡散用レンズ７２の外形寸法より大きく形成されている。また、左右のパネル押え金具４３，４４の背面側には発光ダイオードモジュール７０を保持する取付金具４５，４６が設けられている。前記取付金具４５，４６は薄板板金を適宜折り曲げて形成されてなるものであり、外扉２の扉枠に固着されてパネル押え金具４３，４４に覆われるように構成されている。前記取付金具４５，４６には発光ダイオードモジュール７０がパネル押え金具４３，４４の開口４３ｃ，４３ｃ、４４ｃ，４４ｃに臨むように取付けられており、それぞれの取付金具４５，４６に取付けられた発光ダイオードモジュール７０は配線接続用コネクタ７４（図８参照）を介して直列接続されている。そして、左右のパネル押え金具４３，４４の前面（表面）側には採光板４７，４８が取付けられる。
【００３３】
このように商品展示室３の左右に配設される発光ダイードモジュール７０は左右のパネル押え金具４３，４４の背後に位置するように組付けることにより、配線接続用コネクタ７４に接続される電源線や制御信号線などの配線が隠れて見えないようにすることができる。なお、上側のパネル押え金具４１に取付けられた発光ダイードモジュール７０は商品展示室３内に露出しているが、この商品展示室３の上部領域にはロゴタイプなどを表示する表示部材１００（図１の（ｂ）参照）が吊下げられることから自動販売機の前面側から発光ダイードモジュール７０が見えることはない。
【００３４】
また、前記レイアウト部材１０に装着することにより商品展示室３内に配設される照明光源ＬＥＤ２を図１０に示している。前記照明光源ＬＥＤ２はこの実施の形態では発光ダイオードモジュールユニット７００として構成され、この発光ダイオードモジュールユニット７００は、図に示すように、発光ダイオードモジュール７０と、この発光ダイオードモジュール７０の取付金具７１０と、レイアウト部材１０に係止される係止金具７２０、および目隠し板７３０とからなり、取付金具７１０，係止金具７２０、および目隠し板７３０はそれぞれ薄板板金製であって白色塗装が施されている。前記発光ダイオードモジュール７０は図８に示したものと同一である。前記取付金具７１０は縦断面Ｌ字形に折り曲げられた底板７１１と前板７１２とからなり、底板７１１の左右両端には上方に向けて鉛直に折り曲げられるとともにねじ挿通穴を有する連結片７１３，７１３が形成されている。この取付金具７１０の底板７１１の下面に前記発光ダイオードモジュール７０がねじにより固着される。前記係止金具７２０は縦断面逆Ｌ字形に折り曲げられた主板７２１と天板７２２からなり、天板７２２の左右両端には天板７２２から上方に向くように折り曲げられたタブ７２３，７２３が形成されるとともにタブ７２３，７２３の近傍に係止片７２４，７２４が形成されている。前記係止片７２４，７２４の形状は図５に示したホルダー１２の係止片１２２ａの形状と同一であり、その自由端側が下方に垂下するとともに撞木鮫の頭部形状（或いはきのこ形状）のように左右方向に延在するストッパ（不図示）を備えている。ここで、左右２個の係止爪７２４，７２４の間隔はレイアウト部材１０の天板１０ａに形成された凸状係合穴１１の間のピッチに整数倍となるように定められている。また、前記係止金具７２０における主板７２１の左右両端には前方に向けて折り曲げられるとともにねじ挿通穴を有する固定片７２５，７２５が形成されている。前記目隠し板７３０は上縁を後方に傾斜するように形成された庇７３１が形成されている。
【００３５】
前述した構成からなる発光ダイオードモジュールユニット７００として組立てた状態を図１０の（ｂ）に示しており、発光ダイオードモジュール７０を底板７１１の下面に固着した取付金具７１０の左右の連結片７１３，７１３の外側に係止金具７２０の固定片７２５，７２５を重ね合わせて両者をねじＳ１により固着し、取付金具７１０の前板７１２の前方に目隠し板７３０を重ね合わせて両者をねじＳ２により固着することにより発光ダイオードモジュールユニット７００が組立てられる。この発光ダイオードモジュールユニット７００のレイアウト部材１０への装着は前記ホルダー１２の装着方法に対して、係止金具７２０に形成した左右の係止爪７２４，７２４をレイアウト部材１０の対応する凸状係合穴１１に同時に挿入する点を除けば同一である。つまり、左右の係止爪７２４，７２４をレイアウト部材１０の対応する凸状係合穴１１に同時に挿入した上で前方にスライドさせると左右の係止爪７２４，７２４がレイアウト部材１０に係止することによって発光ダイオードモジュールユニット７００がレイアウト部材１０に装着される。ここで、発光ダイオードモジュールユニット７００の配線はレイアウト部材１０の断面コ字形の空間を介して中扉２１に穿孔された配線用開口２１１ｃを通して引き回される。なお、ねじＳ１を緩めて係止金具７２０に対して取付金具７１０を回動させることにより発光ダイオードモジュール７１からの照射方向を可変とすることができる。
【００３６】
次に、図１１はこの実施の形態にかかる自動販売機の全体構成を示すブロック図であり、以下、このブロック図を用いて本発明の自動販売機の動作を説明する。
図において８０は自動販売機の全体の制御を司る主制御部であり、この主制御部８０には各種の実行プログラムを記憶したＲＯＭ，各種データを格納するＲＡＭ，次に示す従制御部からの入力信号により各種実行プログラムを実行するＣＰＵなどを備えている。前記主制御部８０には従制御部としての入力装置８１、硬貨識別部８２、紙幣識別部８３、商品払出部８４、冷却／加熱制御部８５、照明灯制御部８６、商品選択ボタン５ａ、取消しボタン５ｂおよび発光ダイオードランプＬＭＰなどが接続されている。
【００３７】
前記入力装置８１は、商品設定価格，商品収納コラムの割付，商品選択ボタンの割付などの各種設定を行う入力デバイスであり、入力装置８１により設定された各種設定データが主制御部のＲＡＭに格納されて記憶される。硬貨識別部８２は、図１の硬貨投入口６１から投入された硬貨の真偽並びに金種を識別して正貨の場合には金種別にその枚数を計数するとともに合計金額を主制御部８０に送信するものである。紙幣識別部８３は、図１の紙幣挿入口６２に挿入紙幣の真偽並びに金種を識別して正貨の場合に金種別にその枚数を計数するとともに合計金額を主制御部８０に送信するものである。主制御部８０は硬貨識別部８２、紙幣識別部８３から受信した合計金額に基づいて販売情報表示部６４（図１参照）に投入金額を表示する。商品払出部８４は、商品選択ボタン５ａにより選択された商品を庫内の商品収納ラックから切り出して払い出すものである。冷却／加熱制御部８５は、庫内に収納した商品の温度が所定の温度となるように温度制御する制御部であり、照明灯制御部８６は、照明光源ＬＥＤ１，ＬＥＤ２の点灯・消灯を制御する制御部である。
【００３８】
ここで、商品展示室３の任意の位置にレイアウト可能な複数の商品見本８を保持するホルダー１２に取付けられた発光ダイオードランプＬＭＰ（選択商品表示手段）と個別の商品選択ボタン５ａとの対応関係は入力装置８１からの設定入力によって主制御部８０のＲＡＭに格納されている。また、商品選択ボタン５ａには、図１１に示すように対応する商品見本８のアドレスに対応する商品指定番号５０が付されているとともに販売可能ランプ５１、売り切れランプ５２が内臓されている。そして、主制御部８０のＲＯＭには、投入金額が商品設定価格に一致若しくは超過した場合に主制御部８０から対応する商品選択ボタン５ａに販売可能信号を送信して該当する商品選択ボタン５ａの販売可能ランプ５１を点灯制御し、また、庫内の商品収納ラックに収納された商品が売り切れた場合に主制御部８０から対応する商品選択ボタン５ａに売り切れ信号を送信して該当する商品選択ボタン５ａの売り切れランプ５２を点灯制御する実行プログラムが格納されている。また、主制御部８０のＲＯＭには、前述したように販売可能ランプ５１が点灯している商品選択ボタン５ａが操作された際、その商品選択ボタン５ａに対応する発光ダイオードランプＬＭＰを点滅制御し、商品選択ボタン５ａの選択操作から所定時間の間に取消しボタン５ｂが操作されない場合には販売開始信号を商品払出部８５に送出し、前記所定時間の経過以前に取消しボタン５ｂが操作された際には発光ダイオードランプＬＭＰを消灯したうえで商品選択ボタン５ａの操作を待つ実行プログラムが格納されているものである。
【００３９】
以下、図１に例示したように商品展示室３の任意の位置に商品見本８、ポスター部材９、照明光源ＬＥＤ２をレイアウトした自動販売機の動作について図１および図１１を参照しつつ説明する。なお、図１に例示しているように、商品展示室３の任意の位置に装着されたポスター部材９の近傍、図の例ではポスター部材９の左右に装着された商品見本８を特定の商品見本とするのがよい。特定の商品見本とはポスター部材９に掲示されたポスターが新発売の商品の広告である場合には新発売の商品に対応する商品見本であり、また、ポスターがキャンペーン期間中のおすすめ商品の広告である場合にはそのおすすめ商品に対応する商品見本などである。このように、ポスター部材９の近傍に特定の商品見本８を配置してなることにより、目に留まり易いポスターの近傍に特定の商品見本が位置するので特定の商品見本を利用者にアピールすることができる。
【００４０】
前述したように商品展示室３の任意の位置に商品見本８、ポスター部材９、および照明光源ＬＥＤ２（発光ダイオードモジュールユニット７００）をレイアウトした状態で自動販売機に通電すると商品展示室３の上側のパネル押え金具４１と、左右のパネル押え金具４３，４４に取り付けた照明光源ＬＥＤ１（発光ダイオードモジュール７０）から照射される照明光により商品展示室３内が明るく照明され、また、照明光源ＬＥＤ２（発光ダイオードモジュールユニット７００）によりポスター部材９に掲示されたポスターが際立つように照明される。ここで、利用者が商品を購入するために硬貨若しくは紙幣を投入すると、硬貨識別部８２若しくは紙幣識別部８３から主制御部８０に合計金額が送信される。これに基づいて主制御部８０は投入金額を演算し、投入金額と商品設定価格と比較して投入金額が商品設定価格に一致若しくは商品設定価格を超えた際に対応する商品選択ボタン５ａ販売可能信号を送信する。これにより該当する商品選択ボタン５ａの販売可能ランプ５１が点灯して利用者に販売が可能であることを表示する。そして、利用者が商品選択ボタン５ａを操作すると対応する発光ダイオードランプＬＭＰが点滅して選択された商品（商品見本８）を表示する。ここで、商品選択ボタン５ａには商品見本８を保持するホルダー１２に掲示された商品情報表示体１３に表示された商品指定番号と一対一で対応する商品指定番号５０が表示されるように構成されており、利用者は希望する商品見本８の商品指定番号に対応する商品選択ボタン５ａを押すことになる。しかしながら、利用者が誤って異なる商品選択ボタン５ａを操作するおそれがあることから、この自動販売機における主制御部８０は前記商品選択ボタン５ａの操作から所定時間の間、取消しボタン５ｂの操作を受付けるように構成されている。なお、所定時間の間に取消しボタン５ｂが操作されずに所定時間が経過すると商品払出部８４に販売開始信号を送出して本体キャビネット１の庫内に収納された商品収納ラックから対応する商品を搬出する。
【００４１】
前述したように、主制御部８０は前記商品選択ボタン５ａの操作から所定時間の間、取消しボタン５ｂの操作を受付けるようにプログラムされているので、発光ダイオードランプＬＭＰの点滅により利用者が希望する商品ではないことに気付いて取消しボタン５ｂが操作されると前記主制御部８は点滅している発光ダイオードランプＬＭＰを消灯した上で再度の商品選択ボタン５ａの操作を待つ。このように、商品選択ボタン５ａが操作されると発光ダイオードランプＬＭＰを点滅させて選択した商品を表示するので、利用者は希望する商品を選択したかどうかを確認すことができる。したがって、商品見本８と商品選択ボタン５ａが離隔している場合にも利用者が希望する商品とは異なる商品を選択するという誤選択を防止することが可能となる。
【００４２】
なお、商品選択ボタン５ａとして商品見本８と一対一で対応する例について説明したが、これに限るものではない。例えば、商品選択ボタンをテンキー方式とすることができる。また、発光ダイオードランプＬＭＰはホルダー１２の掲示部１２３に取付けるものに限らず、商品見本８の内部を照明するように構成し、商品選択ボタン５ａの操作により対応する商品見本８を内部から照明して当該商品見本８を明るく発光させるようにすることもできる。
【００４３】
前述したとおりこの実施の形態１の自動販売機によれば、前面が開口した断熱筐体としてなる本体キャビネット１と、この本体キャビネット１の前面を開閉する片開き式の外扉２を備え、前記外扉２に画成された商品展示室３の任意の位置に複数の商品見本８を配列し、前記外扉２の商品展示室３の領域外に商品選択ボタン５ａ備えた自動販売機において、前記商品展示室３の任意に位置にレイアウトされた商品見本８毎に設けられ、前記商品選択ボタン５ａの操作により作動して当該商品見本８が選択されたことを表示する選択商品表示手段（発光ダイオードランプＬＭＰ）を設けたことにより、利用者が商品選択ボタン５ａを操作した際、当該商品選択ボタン５ａに対応する商品見本８を商品選択表示手段（発光ダイオードランプＬＭＰ）により表示するので、利用者は商品選択表示手段（発光ダイオードランプＬＭＰ）により希望する商品を選択したことを確認することが可能となり、商品展示室３の任意の位置にレイアウトされた商品見本８と商品選択ボタン５ａとがそれぞれ離隔した位置に配置されている場合にも商品選択ボタン５ａの誤選択（押し間違い）を抑制することができるという効果を有する。
（実施の形態２）
図１２は本発明の実施の形態２である自動販売機を示し、（ａ）はその全体構成を示す正面図、（ｂ）は（ａ）の自動販売機の外扉、および中扉を開放した状態を示す斜視図であり、図１３は図１２に示す自動販売機の全体構成を示すブロック図である。図１２および図１３においては実施の形態１における図１および図１１と同一のものには同一の符号を付してその説明は省略する。
【００４４】
図１２において、図１に示す実施の形態１の自動販売機と相違する点は商品選択ボタン部５に購入意思決定ボタン５ｃを設けた点であり、その他の構成は図１に示すものと同一である。前記購入意思決定ボタン５ｃは利用者が貨幣の投入に先立って商品選択ボタン５ａとともに同時に操作するものであり、その機能は次の図１３により説明する。
【００４５】
図１３において図１１に示すブロック図と相違する点は主制御部８０に購入意思決定ボタン５ｃが接続されるとともに次の実行プログラムが追加装備されている点である。すなわち、主制御部８０のＲＯＭに追加装備された実行プログラムは、待機状態において商品選択ボタン５ａと購入意思決定ボタン５ｃが同時に押圧操作されると、選択操作された商品選択ボタン５ａを主制御部８０のＲＡＭに記憶するとともに商品選択ボタン５ａに対応する発光ダイオードランプＬＭＰを点滅制御し、この状態で貨幣の投入若しくは取消しボタン５ｂの入力を監視し、取消しボタン５ｂの入力があるとＲＡＭに記憶された商品選択ボタン５ａの記憶内容を削除するとともに点滅している発光ダイオードランプＬＭＰを消灯させた上で商品選択ボタン５ａと購入意思決定ボタン５ｃが同時に操作されるのを待って上述した制御を実行する。一方、発光ダイオードランプＬＭＰを点滅制御した後に貨幣が投入された場合には、当該貨幣の投入金額とＲＡＭに記憶された商品選択ボタンに対応する商品設定価格とを比較し、投入金額が商品設定価格に一致若しくは超過する場合に販売開始信号を送出するものである。
【００４６】
図１２および図１３に示した自動販売機の動作について説明すると、その待機状態において利用者が貨幣の投入に先立って商品選択ボタン５ａと購入意思決定ボタン５ｃを同時に押圧操作すると、当該商品選択ボタン５ａに対応する発光ダイオードランプＬＭＰが点滅するので、これにより利用者は希望する商品の商品選択ボタン５ａを操作したかどうかを確認する。前記発光ダイオードランプＬＭＰの点滅により希望する商品であることを利用者が確認した上で商品設定価格に一致若しくは超過する貨幣を投入すると本体キャビネット１の庫内に収納された商品収納ラックから希望する商品が搬出される。前記発光ダイオードランプＬＭＰの点滅により希望する商品とは異なる商品選択ボタン５ａを操作している場合には取消しボタン５ｂを操作した上で再度商品選択ボタン５ａと購入意思決定ボタン５ｃを同時に押圧操作すればよい。
【００４７】
この実施の形態２にかかる自動販売機においては商品選択ボタン５ａを操作した後、貨幣を投入することにより商品の販売を開始することから、前述した実施の形態１の自動販売機にように商品選択ボタン５ａの操作から所定時間経過後に商品の販売を開始するものでは商品の販売時間が長くなるのに対し、商品の販売時間を短縮することができる。なお、商品選択ボタン５ａと購入意思決定ボタン５ｃが同時に押圧操作される状態とは両者が時間差をおいて操作される場合を含むものである。また、前記購入意思決定ボタン５ｃは悪戯を防止するために設けたものであり、悪戯が懸念されない場合には削除することができ、さらに、購入意思決定ボタン５ｃを取消しボタン５ｂで兼用させることもできる。
（実施の形態３）
図１４は本発明の実施の形態３である自動販売機の全体構成を示し、（ａ）はその全体構成を示す正面図、（ｂ）は（ａ）の自動販売機の外扉、および中扉を開放した状態を示す斜視図である。図１４においては実施の形態１における図１と同一のものには同一の符号を付してその説明は省略する。
【００４８】
図１４において、図１に示す実施の形態１の自動販売機と相違する点は商品選択ボタン部５であり、この商品選択ボタン部５における縦横に並置された商品選択ボタン５ａの近傍、この実施の形態では商品選択ボタン５ａの上方位置に商品見本８を印刷したパネルＰＮＬが貼着されている。このパネルＰＮＬが、商品見本を示す表示が施された表示媒体を構成し、商品見本８のミニチュアに相当する。なお、実施の形態１の自動販売機における発光ダイオードランプＬＭＰおよび取消しボタン５ｂは削除されている。
【００４９】
この図１４に示した自動販売機の動作について説明すると、利用者が商品を購入するために商品設定価格に一致若しくは商品設定価格を超過する貨幣を投入すると、対応する商品選択ボタン５ａの販売可能ランプが点灯して利用者に販売が可能であることを表示する。ここで、利用者は希望する商品の商品選択ボタン５ａの操作を行うこととなるが、それぞれの商品選択ボタン５ａの上方位置に商品見本８を印刷したパネルＰＮＬが貼着されているので利用者は商品見本８のミニチュアを確認した上で商品選択ボタン５ａを操作することができる。このように、商品選択ボタン５ａを操作する際に当該商品選択ボタン５ａの近傍に設けた商品見本８のミニチュアを目視して希望する商品であるかを確認できることから希望する商品とは異なる商品が販売されることを抑制することができる。なお、パネルＰＮＬに表示する表示情報は商品見本８の外観に限らず、商品見本８を印象付ける文字や記号であってもよいものである。
【００５０】
前述した実施の形態３にかかる自動販売機によれば、前面が開口した断熱筐体としてなる本体キャビネット１と、この本体キャビネット１の前面を開閉する片開き式の外扉２を備え、前記外扉２に画成された商品展示室３の任意の位置に複数の商品見本８を配列し、前記外扉２の商品展示室３の領域外に商品選択ボタン部５を備えた自動販売機において、商品選択ボタン部５は複数の商品見本に対応した個別の商品選択ボタン５ａを並設してなり、当該個別の商品選択ボタン５ａの近傍に該当する商品見本８を示す表示が施された表示媒体（パネルＰＮＬ）を設けてなることにより、利用者が商品選択ボタン５ａを操作する際、当該商品選択ボタン５ａの近傍に設けられたところの商品見本８を示す表示の施された表示媒体（パネルＰＮＬ）が視野に入って一目瞭然であるので、希望する商品を選択しようとしているかを視認することが可能となり、商品選択ボタン５ａの誤選択を抑制することができるという効果を有する。
【符号の説明】
【００５１】
１…本体キャビネット、２…外扉、３…商品展示室、４…透明パネル、５…商品選択ボタン部、５ａ…商品選択ボタン、５ｂ…取消しボタン、５ｃ…購入意思決定ボタン、８…商品見本、９…ポスター部材、１０…レイアウト部材、１１…凸状係合穴、１２…ホルダー、１３…商品情報表示体、２１…中扉、４１，４２，４３，４４…パネル押え金具、７０…発光ダイオードモジュール（照明光源）、７００…発光ダイオードモジュールユニット（照明光源）、８０…主制御部、８１…入力装置、８２…硬貨識別部、８３…紙幣識別部、８４…商品払出部、８５…冷却／加熱制御部、８６…照明灯制御部、ＬＭＰ…発光ダイオードランプ（選択商品表示手段）、ＰＮＬ…パネル（表示媒体）。
【図１】
2011170586.tif 000003
【図２】
2011170586.tif 000004
【図３】
2011170586.tif 000005
【図４】
2011170586.tif 000006
【図５】
2011170586.tif 000007
【図６】
2011170586.tif 000008
【図７】
2011170586.tif 000009
【図８】
2011170586.tif 000010
【図９】
2011170586.tif 000011
【図１０】
2011170586.tif 000012
【図１１】
2011170586.tif 000013
【図１２】
2011170586.tif 000014
【図１３】
2011170586.tif 000015
【図１４】
2011170586.tif 000016